(57)【要約】【課題】飲食物を入れた多数の容器を僅かなスペースで取り出し易い状態に展示することができ、保温性にも優れた容器用展示販売機を提供すること。【解決手段】飲食物を入れた容器を容器ホルダー６の上部開口部１２から容器収納領域３０（チャンバー３３）に突入させ、容器ホルダー６で囲まれた容器の下部をホットプレート１０によって加熱保温する。ホットプレート１０の熱が空気中に過剰に放熱されることがなく、加熱保温時の熱効率が向上するため、店内の温度変化が外乱として作用して飲食物の容器の温度を変動させる現象が抑制され、飲食物の容器の温度制御も容易となる。この結果、複数の容器載置ユニット２を上下に重合して支持する場合であっても全体を被うケーシング部や外壁は不要となり、何処からでも飲食物の容器を容易に取り出すことが可能な状態で、飲食物を入れた多数の容器を僅かなスペースで展示することができるようになる。【選択図】        図３
2004173896.tif 000002
【特許請求の範囲】
【請求項１】
飲食物を入れた複数の容器を展示および販売するための容器用展示販売機であって、
前記容器の下部を収容する容器収容領域と前記各容器の下部を前記容器収容領域に突入させるための複数の上部開口部とを設けた容器ホルダーと、前記容器収容領域を加熱保温するためのヒータとによって構成される複数の容器載置ユニットと、
前記複数の容器載置ユニットを上下方向に間隔をおいて支持する柱状の支持部材とを備えたことを特徴とする容器用展示販売機。
【請求項２】
前記各容器ホルダーが、前記支持部材によって水平面内で回転自在に軸支されていることを特徴とする請求項１記載の容器用展示販売機。
【請求項３】
前記複数の上部開口部が前記容器ホルダーの外周に沿って配備されると共に、前記各容器ホルダーの中央部が前記支持部材によって軸支され、前記各容器載置ユニットの間には、前記容器を取り出すことが可能な間隔が形成されていることを特徴とする請求項２記載の容器用展示販売機。
【請求項４】
前記各容器ホルダーが、中央部からオフセットされた位置で前記支持部材によって軸支されていることを特徴とする請求項２記載の容器用展示販売機。
【請求項５】
前記容器ホルダーの底板が熱伝導率の高い金属板によって形成され、前記ヒータは前記底板の下面に密着するホットプレートから成り、このホットプレートが前記支持部材に対して一体的に固定されて前記容器ホルダーの荷重を支えると共に、前記支持部材に内装された電力供給線が前記支持部材の外壁を貫通して側方に導き出され、この電力供給線が前記ホットプレートに電気的に接続されていることを特徴とする請求項２，請求項３または請求項４記載の容器用展示販売機。
【請求項６】
前記ヒータがホットプレートから成り、このホットプレートが前記容器ホルダーの底板を兼ねていることを特徴とする請求項１，請求項２，請求項３または請求項４記載の容器用展示販売機。
【請求項７】
前記支持部材と前記容器ホルダーとの間に固定子および摺接子からなる通電子を設け、前記支持部材に内装された電力供給線と前記ホットプレートとが前記通電子を介して電気的に接続されていることを特徴とする請求項６記載の容器用展示販売機。
【請求項８】
前記支持部材に内装された電力供給線が前記支持部材の外壁を貫通して側方に導き出され、この電力供給線が前記ホットプレートに電気的に接続されると共に、前記支持部材に対する前記容器ホルダーの最大回転角度を４直角以内に規制する回転角度規制手段を配備したことを特徴とする請求項６記載の容器用展示販売機。
【請求項９】
飲食物を入れた複数の容器を展示および販売するための容器用展示販売機であって、
前記容器を載置するためのホットプレートから成る複数の容器載置ユニットと、
前記複数の容器載置ユニットを上下方向に間隔をおいて回転自在に支持する柱状の支持部材とを備えたことを特徴とする容器用展示販売機。
【発明の詳細な説明】
【０００１】
【発明の属する技術分野】
本発明は、飲食物を入れた容器を加熱保温しながら展示する容器用展示販売機の改良に関する。
【０００２】
【従来の技術】
飲食物を入れた容器を展示するための容器用展示販売機には、大別して、密閉式のものとオープン式のものとがある。
【０００３】
密閉式の容器用展示販売機は、ヒータを備えた容器載置部とドア付きのケーシング部とによって構成され、顧客がケーシング部のドアを空けて、内部の容器載置部から１つずつ容器を取り出すようになっている。
【０００４】
密閉式の容器用展示販売機は容器の保温性の点で優れるが、顧客はドアを開いて常に手前側の容器から順に取っていかなければならず、奥に残った容器を取り出し難いといった問題もある。
【０００５】
これに対し、オープン式の容器用展示販売機の場合は、邪魔になるケーシング部が無いため、ヒータを備えた容器載置部の何処からでも飲食物の容器を取り出すことが可能である。しかし、ケーシング部がないために空気中への放熱が多く、ヒータの電力が無駄に消費される欠点があり、また、店内の温度変化が外乱として容器の温度に影響を与えるため、飲食物の容器の温度制御が難しくなるといった問題がある。
【０００６】
更に、この種の容器用展示販売機においては、飲食物を入れた多数の容器を僅かなスペースで展示販売したいといった強い要望がある。この目的を達成するために有効な構成を有する装置としては、例えば、非特許文献１に示されるようなカップウォーマー等が考えられる。
【０００７】
【非特許文献１】
ラッキーコーヒーマシン（ＢＯＮＭＡＣ）、［平成１４年１０月２４日検索］、インターネット＜ＵＲＬ：ｈｔｔｐ：／／ｗｗｗ．ｌｕｃｋｙ−ｃｏｆｆｅｅ−ｍａｃｈｉｎｅ．ｃｏ．ｊｐ／ｐｒｏｄ．ｈｔｍｌ＞
【０００８】
【発明が解決しようとする課題】
非特許文献１に開示されるように、オープン式の容器用展示販売機の容器載置部に相当する棚を上下に重ねた構成を有するものでは、飲食物を入れた容器を僅かなスペースで多数展示することが可能であるが、やはり、オープン式であることから保温能力の点で問題があり、また、上下の棚を接続するための外壁が設けられているため、奥に残った容器の取り出しに支障を来たすといった場合も有り得る。
【０００９】
【発明の目的】
そこで、本発明の目的は、前記従来技術の欠点を解消し、飲食物を入れた多数の容器を僅かなスペースで取り出し易い状態に展示することができ、同時に、保温性にも優れた容器用展示販売機を提供することにある。
【００１０】
【課題を解決するための手段】
本発明は、飲食物を入れた複数の容器を展示および販売するための容器用展示販売機であり、前記目的を達成するため、特に、
容器の下部を収容する容器収容領域と容器の下部を容器収容領域に突入させるための複数の上部開口部とを設けた容器ホルダーと、容器収容領域を加熱保温するためのヒータとによって構成される複数の容器載置ユニットと、
これら複数の容器載置ユニットを上下方向に間隔をおいて支持する柱状の支持部材とを備えたことを特徴とする構成を有する。
【００１１】
飲食物を入れた容器を容器ホルダーの上部開口部から容器収納領域に突入させ、容器ホルダーで囲まれた容器の下部および其の周辺をヒータによって加熱保温する構成である。従って、ヒータの熱が空気中に過剰に放熱されることがなくなり、加熱保温時の熱効率が向上すると共に電力の無駄も軽減される。また、容器の下部、つまり、実際に飲食物を充填された部分の周辺温度を略一定に保持することが可能となるため、店内の温度変化が外乱として作用して飲食物の容器の温度を変動させる現象が抑制され、飲食物の容器の温度制御も容易となる。
このように、熱効率が向上し、同時に、環境温度の変化等の外乱による影響も軽減されるため、複数の容器載置ユニットを上下に間隔をおいて支持する場合であっても全体を被うケーシング部や外壁は不要であり、柱状の支持部材を利用して容器載置ユニットを上下に保持すれば十分である。
容器の上部は容器ホルダーから上方に突出した状態となり、しかも、上下方向に重合された容器ホルダーが柱状の支持部材によって支持されていることから、容器の出し入れの際に障害となるケーシング部や外壁がなくなり、奥に残った容器を含め、何処からでも飲食物の容器を容易に取り出すことが可能な状態で、飲食物を入れた多数の容器を僅かなスペースに展示することができるようになる。
【００１２】
また、各容器ホルダーを支持部材によって水平面内で回転自在に軸支するようにしてもよい。
【００１３】
このような構成を適用すれば、容器ホルダーを回転させ、所望する飲食物の入った容器を手前に引き寄せて取り出すことができるため、容器の取り出し作業が更に容易となる。また、容器用展示販売機を壁面あるいは部屋のコーナー部分等に密着させて配置した場合であっても、所望する飲食物の入った容器を容易に取り出すことができる。
【００１４】
更に、容器ホルダーを回転させる際の具体的な構成として、複数の上部開口部を容器ホルダーの外周に沿って配備すると共に、各容器ホルダーの中央部を支持部材によって軸支し、各容器載置ユニットの間に容器を取り出すことが可能な間隔を形成した構成を提案する。
【００１５】
このような構成を適用した場合、各容器ホルダーは支持部材を軸心として常に定位置で自転することになるので、各容器ホルダーの回転状態に関わりなく水平面に対する容器用展示販売機の投影面積は一定となる。従って、狭小な設置面に容器用展示販売機を設置することが可能であり、容器ホルダーの回転に伴う重心移動も発生しないので、容器用展示販売機の姿勢を安定的に保持することが可能である。
【００１６】
また、容器ホルダーを回転させる際の別の具体的な構成として、各容器ホルダーを中央部からオフセットされた位置で支持部材によって軸支した構成を提案する。
【００１７】
このような構成を適用した場合、各容器ホルダーは支持部材を軸心として水平面内で揺動するようなかたちで回転する。つまり、下方に位置する容器ホルダーを側方に振り出して容器を取り出すことが可能であり、上方に位置する容器ホルダーが障害となって容器の取り出しが困難となることがない。
従って、各容器ホルダーを上下に密接して配備して容器用展示販売機の全高を短縮することが可能であり、上下方向のゆとりがない設置面、例えば、カウンター上に容器用展示販売機を設置するような場合に有効である。
【００１８】
更に、容器載置ユニットを構成する容器ホルダーとヒータとの関係においては、容器ホルダーの底板を熱伝導率の高い金属板によって形成すると共に、この底板の下面に密着するホットプレートをヒータとして利用し、このホットプレートを支持部材に対して一体的に固定して、ホットプレートで容器ホルダーの荷重を支える構成が適用できる。
【００１９】
このような構成を適用した場合、容器ホルダーの容器収容領域と容器は、金属製の底板を介してホットプレートからの熱で加熱保温されることになるが、底板を含む容器ホルダーの自重によって底板とホットプレートとの密着性が確保されているので、無駄なエネルギーロスを生じることなくホットプレートの熱を容器収容領域に伝達することができる。
しかも、底板を含む容器ホルダーがホットプレートと独立して回転し、ホットプレートの側は支持部材に対して一体的に固定されたままの状態に維持されるので、容器ホルダーを回転させた場合であっても、支持部材から導き出されてホットプレートに接続された電力供給線に捩れや絡みが生じることはなく、電力供給線に生じる損傷を未然に防止することができる。
【００２０】
また、ホットプレートによって容器ホルダーの底板を兼ねさせる構成とすることも可能である。
【００２１】
この場合、容器ホルダーの底板それ自体がホットプレートとして機能するので、容器収容領域の加熱保温に関わる熱効率を更に向上させることができる。
【００２２】
このように、容器ホルダーの底板として機能するホットプレートを容器ホルダーと共に支持部材に対して回転させる場合には、支持部材と容器ホルダーとの間に固定子および摺接子からなるスリップリング状の通電子を設け、この通電子を介して支持部材に内装された電力供給線とホットプレートとを電気的に接続することが望ましい。
【００２３】
このような構成を適用すれば、ホットプレートに電力を供給する電力供給線の捩れや絡みを完全に排除して電力供給線の耐久性を著しく向上させることができる。
【００２４】
また、通電子を採用した複雑な構成に代えて、支持部材に対する容器ホルダーの最大回転角度を４直角以内に規制する回転角度規制手段を設けるようにしてもよい。
【００２５】
支持部材に対する容器ホルダー（ホットプレート）の回転角度が規制されるため、ホットプレートに接続した電力供給線の捩れや絡みを最小限度に抑制して電力供給線の耐久性を向上させることができる。
【００２６】
また、展示場所の省スペース化と容器の取り出し安さの向上のみを追求する場合にあっては、
容器を載置するためのホットプレートから成る複数の容器載置ユニットと、
複数の容器載置ユニットを上下方向に間隔をおいて回転自在に支持する柱状の支持部材のみを備えた構成を適用してもよい。
【００２７】
容器ホルダーによる保温効果はないが、容器を載置したホットプレートを自由に回転できることから、展示場所の省スペース化と容器の取り出し安さの向上に関しては、前記と同等の作用効果を達成することができる。
【００２８】
【発明の実施の形態】
以下、図面を参照して本発明の実施形態の幾つかについて詳細に説明する。図１は一実施形態の容器用展示販売機１の外観について示した斜視図、図２は容器用展示販売機１の一部を構成する容器載置ユニット２の組み立て構造を示した分解図、また、図３は容器載置ユニット２の内部構造を示した断面図である。
【００２９】
この実施形態の容器用展示販売機１は、図１に示される通り、概略において、３組の容器載置ユニット２と、これら３組の容器載置ユニット２を上下方向に間隔をおいて支持する柱状の支持部材３、および、支持部材３の下端部を支えるベースユニット４と、支持部材３の上端部に装着された電飾ユニット５によって構成される。
【００３０】
容器載置ユニット２の各々は、図２に示されるように、容器ホルダー６の主要部を構成する合成樹脂製のアウターカバー７と金属性のインナーケーシング８、および、熱伝導率の高い肉厚の金属板から形成された底板９と、底板９の下面に密着してヒータとして機能するホットプレート１０、ならびに、合成樹脂製の熱遮蔽板１１によって構成される。
【００３１】
このうち、容器ホルダー６の主要部を構成するアウターカバー７とインナーケーシング８の各々には、容器の下部を突入させるための上部開口部１２，１３が外周の輪郭に沿って等間隔で複数個穿設されている。
【００３２】
また、アウターカバー７の外周面には、容器ホルダー６を手動で回転させるための把手として機能するノッチ１４が適当な間隔を置いて固設される一方、インナーケーシング８の天板１５には、上部開口部１３の各々を開閉自在に被う略扇形のシャッタ１６が上部開口部１３毎に配設されている。
【００３３】
略扇形のシャッタ１６は、図５に示されるように、天板１５の裏面側から通されたビス１７によって其の頂角部分を揺動自在に軸支され、同時に、ビス１７の先端に螺合されたナット１８によって外れを防止されている。
【００３４】
更に、図６に示されるように、天板１５の裏面側では、シャッタ１６の揺動付勢手段となる捩りコイルバネ１９の屈曲部がビス１７に環装して取り付けられている。この捩りコイルバネ１９の両端に形成された直線部１９ａ，１９ｂのうち、一方の直線部１９ａは、その最先端部に形成された略直角の屈曲部を天板１５の小孔２０に突入して固定され、また、他方の直線部１９ｂは、その最先端部に形成された略直角の屈曲部を天板１５の円弧状の長穴２１を介して天板１５の上面側に突出させ、この先端部をシャッタ１６の小孔２２に係合させている。
【００３５】
図５および図６は、捩りコイルバネ１９が自然状態に復帰することによってシャッタ１６がインナーケーシング８の上部開口部１３を閉鎖したときの状態を示したものである。
【００３６】
この状態で、シャッタ１６の上面に設けられたノッチ２３に指を当て、ビス１７を中心としてシャッタ１６を図５中で時計方向、あるいは、図６中で反時計方向に揺動させれば上部開口部１３を開放することができ、また、指を離せば、シャッタ１６は自動的に図５および図６に示される原位置に復帰する。
【００３７】
インナーケーシング８には図２および図３に示されるようにしてアウターカバー７が被せられ、更に、アウターカバー７の孔２６に通されたネジ２４を天板１５のタップ穴２５に螺合させることにより、インナーケーシング８とアウターカバー７とが固定される。
【００３８】
図３および図４に示される通り、アウターカバー７の裏面側には、孔２６を包囲するようにして環状突起２７が突設されているので、アウターカバー７の裏面と天板１５との間にはシャッタ１６の揺動を許容するに足る間隙が形成されることになる。
【００３９】
また、この環状突起２７はシャッタ１６のストッパとしても機能し、ビス１７を中心としてシャッタ１６が図５中の原位置よりも反時計方向、あるいは、図６中の原位置よりも時計方向に振り戻されるのを防止している。
【００４０】
図６に示されるように、天板１５の裏面側には、インナーケーシング８の一部を構成する円筒部２８がスポット溶接等で固設され、上部開口部１３と同数のセパレータ２９が、上部開口部１３の間を縫うようにして放射線状に配備されている。
【００４１】
セパレータ２９は、図７（ａ）〜図７（ｃ）に示されるように、断面略Ｚ字型の金属板によって形成され、主要部を構成する隔壁部２９ｃに設けられた一方の屈曲部２９ａが天板１５の裏面側にスポット溶接等で固着されると共に、他方の屈曲部２９ｂには、底板９をネジ止めするためのネジ通し穴３１が穿設されている。
【００４２】
セパレータ２９は、図７（ｃ）と図２および図３に示されるように、屈曲部２９ｂの上面側からネジ通し穴３１に通されたネジ３２を底板９のタップ穴３４に螺合させることで、底板９に固定される。これにより、天板１５および円筒部２８から成る金属性のインナーケーシング８と底板９とが一体化され、天板１５と円筒部２８および底板９によって囲まれるインナーケーシング８内の容器収容領域３０が、セパレータ２９によって容器毎のチャンバー３３に分割される。
【００４３】
底板９の下面に密着するホットプレート１０は、ヒータプレート３５とヒータ押え板３６との間に板状の発熱体３７を挟んで構成され、図２および図３に示されるように、ヒータプレート３５の上面から通された皿ネジ３８によって鍔付のスリーブ３９に一体的に固定され、更に、ヒータ押え板３６の裏面側には、管状のスペーサ４０とネジ４１を用いて熱遮蔽板１１が取り付けられる。
【００４４】
また、ホットプレート１０の電力線４７と、熱電対等で構成される温度検出手段４２からの信号線４８は、コネクタ４３によって纏められ、熱遮蔽板１１に穿設されたコード通し穴４４を介して下方に引き出される。
【００４５】
図３に示される通り、パイプ状の支持部材３には外周溝４５が刻設されており、ホットプレート１０と熱遮蔽板１１を一体的に取り付けたスリーブ３９は、スリーブ３９の小径部の径方向外側から通されたセットスクリュー４６を外周溝４５に突入させることによって、支持部材３に対し、上下方向移動不能、かつ、回転不能な状態で一体的に固定される。
【００４６】
また、支持部材３に内装された電力供給線４７’と信号伝達線４８’はコネクタ５０によって纏められ、支持部材３の外壁に設けられたコード通し穴４９を貫通して側方に導き出され、前述のコネクタ４３を介してホットプレート１０の電力線４７および温度検出手段４２の信号線４８に接続される。
【００４７】
アウターカバー７およびインナーケーシング８と底板９等で一体的に構成された容器ホルダー６は、各部材の中央部に穿設された孔５１，５２，５３を支持部材３によって軸支された状態でホットプレート１０のヒータプレート３５上に載置され、ホットプレート１０によって其の荷重を支えられる。
【００４８】
つまり、容器載置ユニット２のうち、底板９を含む容器ホルダー６の部分が支持部材３によって水平面内で回転自在に軸支される一方、容器載置ユニット２のうち、ホットプレート１０の部分は、支持部材３に対して実質的に一体に固定されている。従って、アウターカバー７のノッチ１４を持って容器ホルダー６を回転させると、底板９がヒータプレート３５上で滑りながら容器ホルダー６が水平面内で回転することになる。
【００４９】
このため、底板９の下面側とヒータプレート３５の上面側、あるいは、少なくとも其の一方に、摩擦軽減のための耐熱性の表面加工を施すことが望ましい。
【００５０】
図３に示されるように、セパレータ２９における隔壁部２９ｃの高さは、インナーケーシング８における円筒部２８の高さに比べて低めに形成され、容器ホルダー６の一部を構成する底板９に加え、ホットプレート１０を構成するヒータプレート３５，板状の発熱体３７，ヒータ押え板３６の全てが金属製の円筒部２８によって包囲される。
【００５１】
また、円筒部２８の下方に位置する熱遮蔽板１１の外周部がアウターカバー７によって包囲され、熱遮蔽板１１の外周部とアウターカバー７の内周面との間には僅かな間隙が形成されて、固定側の熱遮蔽板１１に対するアウターカバー７の回転を許容している。
【００５２】
更に、容器収容領域３０を構成する天板１５，円筒部２８，底板９と、容器載置ユニット２の外殻を構成するアウターカバー７，熱遮蔽板１１との間に形成される中空のスペースは、断熱層としても機能する。
【００５３】
この実施形態では図１に示されるようにして３組の容器載置ユニット２が上下に間隔をおいて配備されているが、支持部材３に対する各容器載置ユニット２の取り付け構造は、全て図３の例と同様である。
【００５４】
但し、上下に隣接する容器載置ユニット２の関係において、上方に位置する容器載置ユニット２の下面と下方に位置する容器載置ユニット２の上面との間隔Ｌは、加熱保温の対象となる容器が容易に取り出せるように、加熱保温の対象となる容器の高さと同等または其れ以上とする。
【００５５】
一方、支持部材３の下端部を支えるベースユニット４の内部には、各段のホットプレート１０に電力供給線４７’および電力線４７を介して電力を供給するための電源部が設けられる。
【００５６】
また、ベースユニット４の外周部には、図１に示されるようにして３つの温度設定器５４，５５，５６が配備され、これらの温度設定器５４，５５，５６によって設定された目標温度と、各段のホットプレート１０に配備された温度検出手段４２から信号線４８および信号伝達線４８’を介して入力される検出温度とに基いて、各段のホットプレート１０の温度が個別に制御されるようになっている。
【００５７】
無論、温度設定器を無くし、その代わりに各段に温度固定式の温度制御装置、例えば、バイメタル式の温度固定サーモスタット等を配備して温度制御を行なうようにしてもよい。
【００５８】
符号５７は電源コード、また、符号５８は、ベースユニット４内の電源部と電源コード５７との間に設置された電源スイッチである。
【００５９】
温度制御の具体的な手法については、インバータ制御によるデューティー比の調整等を始めとして各種のものが既に公知であるので、ここでは説明を省略する。
【００６０】
図８は電飾ユニット５の構成の概略を示した下面図である。この電飾ユニット５は、乳白色の合成樹脂材料によって形成された傘部５９と、その下面に取り付けられた装飾用の蛍光管６０、および、グローランプ６１等で構成され、傘部５９の下面中央に設けられた環状の嵌合部６２を介して支持部材３の上端部に装着されるようになっている。
【００６１】
蛍光管６０への電力供給線は、前述の電力供給線４７’，信号伝達線４８’と同様に。支持部材３の内部を通って支持部材３の上端部まで導かれ、この電力供給線にコネクタ６３を接続して蛍光管６０を点灯するようになっている。
【００６２】
次に、本実施形態の容器用展示販売機１の実際の使用例について具体的に説明する。
【００６３】
既に述べた通り、各段の容器載置ユニット２に配備されたホットプレート１０の温度は、電源スイッチ５８をオン状態とした後、温度設定器５４，５５，５６を操作することによって任意に設定することが可能である。
また、電飾ユニット５の蛍光管６０は電源スイッチ５８をオンとした時点で自動的に点灯される。
【００６４】
ここで、飲食物を入れた容器を各段の容器ホルダー６にセットする場合には、まず、シャッタ１６のノッチ２３に指を掛けてビス１７を支点として図１中で時計方向に揺動させ、容器ホルダー６を構成するアウターカバー７，インナーケーシング８の上部開口部１２，１３を開放して、この上部開口部１２，１３から容器の下部を容器収容領域３０（チャンバー３３）に突入させて収容し、容器の下面を底板９上に載置する。
【００６５】
底板９上に載置された容器は、底板９を介してホットプレート１０から熱を供給され、同時に、容器収容領域３０内の高温空気によっても加熱保温される。
【００６６】
底板９は熱伝導率の高い金属板によって形成され、更に、この底板９が、アウターカバー７，インナーケーシング８，セパレータ２９，底板９等から成る容器ホルダー６の全荷重を受けてホットプレート１０に圧着（密着）されているので、無駄なエネルギーロスを生じることなく、ホットプレート１０の熱を底板９や容器収容領域３０に伝達することができる。
【００６７】
容器が載置されていない部分の底板９から放射された輻射熱は、金属製の天板１５および円筒部２８から成るインナーケーシング８の内面、および、セパレータ２９の隔壁部２９ｃ等で反射され、少なくとも、その一部は容器の加熱保温に有効に利用される。
【００６８】
また、容器のセットされていない部分のシャッタ１６は、捩りコイルバネ１９の揺動付勢力により上部開口部１２，１３を塞ぐ原位置に保持されるので、容器収容領域３０内の高温空気が対流現象等によって無闇に外部に放出されることはない。しかも、天板１５，円筒部２８，底板９と、アウターカバー７，熱遮蔽板１１との間に形成される中空のスペースが断熱層として機能するので、天板１５，円筒部２８，底板９等に伝達された熱が不用意に外部に漏れて熱効率を低下させるといった心配も少ない。
【００６９】
この実施形態では、実際に飲食物を充填された容器の下部、例えば、容器の下半分のみを容器収容領域３０内に収容して加熱保温する構成を採用しているが、上述した通り、様々な構成を駆使して熱の伝達効率を高め、同時に、容器収容領域３０内の雰囲気温度を一定に保持するようにしているので、全体を被うケーシング部を備えた従来型の密閉式容器用展示販売機と略同等の加熱保温性能を実現することが可能である。よって、店内の温度変化が外乱として作用して飲食物の容器の温度が変動することは少なく、飲食物の容器の温度制御も容易に実現することができる。
【００７０】
更に、容器載置ユニット２の外殻を形成するアウターカバー７と熱遮蔽板１１は、相対的に熱伝導率の低い合成樹脂材料によって構成され、また、支持部材３も、径方向に一定の間隔を置いて合成樹脂等の断熱チューブ６４で被われているので、利用者が容器用展示販売機１に不用意に触ってしまっても熱い思いをする心配がない。
【００７１】
一方、飲食物を入れた容器を各段の容器ホルダー６から取り出す場合には、利用者は、単に、容器ホルダー６から突出した容器を把持して上方に引き抜くようにすればよく、容器ホルダー６を取り出した後の上部開口部１２，１３は、捩りコイルバネ１９で揺動付勢されたシャッタ１６によって自動的に閉鎖される。
【００７２】
この実施形態では、容器載置ユニット２を支持する支持部材３が柱状のパイプによって構成されているので、従来型の密閉式容器用展示販売機のようにケーシング部や外壁を備えた容器用展示販売機と比べて容器の取り出しは著しく容易であるが、それでも、取り出しの対象となっている容器が支持部材３の裏側に位置するなどして取り出しに不都合が生じるといった場合はある。
【００７３】
そのような場合には、容器ホルダー６のノッチ１４を持って容器ホルダー６自体を回転させ、取り出しの対象となっている容器を利用者の手前側に移動させるようにするとよい。
【００７４】
容器用展示販売機１を壁面あるいは部屋のコーナー部分に密着させて配置したような場合も、上記と同様の操作により、所望する飲食物の入った容器を容易に取り出すことができる。
【００７５】
図１に示される通り、上方に位置する容器載置ユニット２の下面と下方に位置する容器載置ユニット２の上面との間隔Ｌは、加熱保温の対象となる容器の高さと同等または其れ以上に空けられているので、容器の取り出しは容易である。
【００７６】
この実施形態では、容器を取り出す際に回転するのは容器ホルダー６の部分のみであり、ホットプレート１０の側は支持部材３に対して固定された状態に保持されるので、支持部材３から導き出されてホットプレート１０や温度検出手段４２に接続された電力供給線４７’や信号伝達線４８’あるいは電力線４７や信号線４８に捩れや絡みが発生する心配は全くなく、これらの配線に生じる損傷を確実に防止することができる。
【００７７】
また、各段の容器ホルダー６は支持部材３を軸心として常に定位置で自転することになるので、各容器ホルダー６の回転状態に関わりなく水平面に対する容器用展示販売機１の投影面積は一定となる。従って、狭小な設置面に容器用展示販売機１を設置することが可能であり、容器ホルダー６の回転に伴う重心移動も発生しないので、安定した姿勢の保持が可能である。
【００７８】
次に、容器ホルダーの底板をホットプレートによって構成し、容器ホルダーとホットプレート（ヒータ）から成る容器載置ユニット全体を支持部材に対して回転させるようにした容器用展示販売機の実施形態について図９を参照して説明する。
【００７９】
図９に示した容器用展示販売機６５の外観、および、その一部を構成するベースユニットと電飾ユニットの内部構造については、図１に示した容器用展示販売機１と同様であるので、説明を省略する。
【００８０】
また、この実施形態の容器載置ユニット６６のうち、アウターカバー，インナーケーシング，熱遮蔽板，ホットプレート，断熱チューブの構成については、図３で示した実施形態のアウターカバー７，インナーケーシング８，熱遮蔽板１１，ホットプレート１０，断熱チューブ６４の構成と同様であるので、図３と同様の符号を記載するにとどめ、詳細な説明を省略する。
【００８１】
この実施形態の容器載置ユニット６６では、図９に示されるように、インナーケーシング８の天板１５の裏面に固着されたセパレータ２９の屈曲部２９ｂにネジ３２を介してホットプレート１０が一体的に固定され、このホットプレート１０が容器ホルダー６７の底板として機能する。但し、この場合、セパレータ２９はセンターを基準として放射線状に設置するのではなく、天板１５の下面側に容器毎のチャンバーを形成できるようなかたちで適宜に配設する。
【００８２】
従って、図３に示した容器載置ユニット２とは相違し、ホットプレート１０と独立した底板９は不要である。但し、この実施形態における皿ネジ３８はヒータプレート３５とヒータ押え板３６を固定するためのもので、スリーブ６８には干渉しない。
【００８３】
つまり、本実施形態においては、容器ホルダー６７とホットプレート１０は実質的に一体であり、ホットプレート１０を含めた容器ホルダー６７全体が、支持部材３に固定装着されたスリーブ６８の鍔部に支えられながら支持部材３を軸心として水平面内で回転することになる。
【００８４】
この実施形態では、ホットプレート１０自体が支持部材３に対して回転するので、ホットプレート１０の電力線や温度検出手段４２の信号線に生じる捩れや絡みを防止する必要上、次に示すような構成を採用している。
【００８５】
まず、スリーブ６８の鍔部の上下両端部に縮径部６９，７０を形成し、この縮径部６９，７０に、２つの外周溝を有する環状の絶縁部材７１，７２を取り付けている。
【００８６】
そして、更に、絶縁部材７１の外周溝７３，７４には固定子として機能するリング状の電極７５，７６が相互に絶縁して取り付けられ、また、絶縁部材７２の外周溝７７，７８には、固定子として機能するリング状の電極７９，８０が相互に絶縁して取り付けられている。
【００８７】
リング状の電極７５，７６の裏面側には絶縁部材７１を径方向に貫通して電力供給線４７ａ’，信号伝達線４８ａ’が接続され、スリーブ６８の鍔部に穿設された径方向の貫通孔８１と支持部材３のコード通し穴４９を通って支持部材３の内部に導かれる。
【００８８】
また、リング状の電極７９，８０の裏面には絶縁部材７２を径方向に貫通して信号伝達線４８ｂ’，電力供給線４７ｂ’が接続され、スリーブ６８の鍔部に穿設された径方向の貫通孔８２と支持部材３のコード通し穴４９を通って支持部材３の内部に導かれる。
【００８９】
そして、電力供給線４７ａ’，４７ｂ’の先端は、支持部材３の内部を通ってベースユニット４内の電源部に接続され、また、信号伝達線４８ａ’，４８ｂ’の先端は、支持部材３の内部を通ってベースユニット４内の温度制御部に接続されている。
【００９０】
一方、ホットプレート１０の最下部に位置するヒータ押え板３６の下面には、摺動子として機能するブラシ８７が絶縁部材８３を介して固設され、其の先端がリング状の電極７５に圧接される。これと同様にして、ヒータ押え板３６の下面には、摺動子として機能する別のブラシ８８が絶縁部材８４を介して固設され、其の先端がリング状の電極７６に圧接される。
【００９１】
また、熱遮蔽板１１の上面には、摺動子として機能するブラシ８９が絶縁部材８５を介して固設され、其の先端がリング状の電極７９に圧接されている。これと同様にして、熱遮蔽板１１の上面には、摺動子として機能する別のブラシ９０が絶縁部材８６を介して固設され、其の先端がリング状の電極８０に圧接されている。
【００９２】
そして、摺動子として機能するブラシ８７，８９には、温度検出手段４２からの２本の信号線が接続され、また、最も離間した場所に位置するブラシ８８，９０には、ホットプレート１０からの２本の電力線が接続されている。
【００９３】
容器ホルダー６７を回転させた際、通電子を構成する要素のうちブラシ８８，８７，８９，９０の各々は容器ホルダー６７と共に回転し、他の構成要素、つまり、リング状の電極７５，７６，７９，８０はスリーブ６８と共に支持部材３の定位置に保持されることになるが、ブラシ８８，８７，８９，９０は其れ自体の弾性力によってリング状の電極７５，７６，７９，８０に対して一定の力で押圧されているので、容器ホルダー６７が回転した場合であっても、これらの電極とブラシとの間の電気的な接続が断たれることはない。
【００９４】
また、大きな電力を消費するホットプレート１０に関連して設けられたリング状の電極７５，８０、および、これらに対応するブラシ８８，９０は、可能な限り上下方向に離間させて設置するようにしているので、電気的な短絡の発生といった問題が発生する心配も少ない。
【００９５】
以上に述べた通り、通電子を構成するブラシ８８，８７，８９，９０やリング状の電極７５，７６，７９，８０の追加により図３の実施形態に比べると構造が多少は複雑化することになるが、図３の実施形態と同様、電力線や信号線に生じる捩れや絡みを完全に防止することができる。
【００９６】
また、容器ホルダー６７にセットされた容器の底面は、底板を兼ねるホットプレート１０で直接的に加熱されることになるので、熱効率の点では図３の実施形態よりも有利である。
【００９７】
次に、容器ホルダーの底板をホットプレートによって構成し、容器ホルダーとホットプレート（ヒータ）から成る容器載置ユニット全体を支持部材に対して回転させるようにした容器用展示販売機の別の実施形態について図１０および図１１を参照して説明する。
【００９８】
図１０に示した容器用展示販売機９１の外観、および、その一部を構成するベースユニットと電飾ユニットの内部構造については、図１に示した容器用展示販売機１と同様であるので、説明を省略する。
【００９９】
また、この実施形態の容器載置ユニット９２のうち、アウターカバー，インナーケーシング，熱遮蔽板，ホットプレート，断熱チューブの構成については、図９で示した実施形態のアウターカバー７，インナーケーシング８，熱遮蔽板１１，ホットプレート１０，断熱チューブ６４の構成と同様であるので、図９と同様の符号を記載するにとどめ、詳細な説明を省略する。
【０１００】
この実施形態では、図９の実施形態の場合と同様、インナーケーシング８の天板１５の裏面に固着されたセパレータ２９を介してホットプレート１０が一体的に固設され、このホットプレート１０が容器ホルダー９３の底板として機能するようになっている。つまり、容器ホルダー９３とホットプレート１０は実質的に一体であって、ホットプレート１０を含めた容器ホルダー９３全体が、支持部材３に固定装着されたスリーブ９４の鍔部に支えられながら支持部材３を軸心として水平面内で回転する。
【０１０１】
図９で示した実施形態との相違は、複雑な構造の通電子を省略し、これに代えて容器ホルダー９３の最大回転角度を規制する回転角度規制手段を配備した点にある。
【０１０２】
つまり、この実施形態では、ホットプレート１０からの電力線４７と支持部材３側の電力供給線４７’、および、温度検出手段４２からの信号線４８と支持部材３側の信号伝達線４８’を、図３の実施形態と同様にしてコネクタ４３，５０で接続し、更に、これらの配線部分に或る程度の余裕（弛み）を持たせることによって、容器ホルダー９３と一体化されたホットプレート１０の回転動作を許容すると共に、支持部材３に対する容器ホルダー９３の最大回転角度を規制することで、配線部分に生じる捩れや絡みを軽減している。
【０１０３】
ここで、回転角度規制手段の構成の一例について説明する。この実施形態の回転角度規制手段９５は、ヒータ押え板３６の下面に突設されたピン９６と、ヒータ押え板３６を回転自在に支えるスリーブ９４の鍔部の上面に刻設された略Ｃ字型の周溝９７とで構成される。
【０１０４】
周溝９７の形状は図１１に示す通りであり、この周溝９７に突入したピン９６が、容器ホルダー９３の回転つまりヒータ押え板３６の回転によって周溝９７の両端部９７ａ，９７ｂと干渉することにより、支持部材３に対する容器ホルダー９３の最大回転角度が４直角以内（３６０度以内）に規制される。
【０１０５】
図３および図９の実施形態と比較すると、配線部に弛みを持たせる必要があること、および、容器ホルダー９３の最大回転角度が４直角以内に規制されることなどで多少の制限事項はあるが、装置全体としての構造は最も簡素であり、従って、低コストでの提供が可能であり、また、熱効率の点では図９の実施形態と同様の性能を発揮することができる。
【０１０６】
次に、容器ホルダーをオフセットして支持部材に軸支し、この容器ホルダーを側方に振り出すようにして水平面内で揺動（回転）させるようにした容器用展示販売機の実施形態について図１２を参照して説明する。
【０１０７】
この実施形態の容器用展示販売機９８は、図１２に示される通り、概略において、３組の容器載置ユニット９９と、これら３組の容器載置ユニット９９を上下方向に間隔をおいて支持する柱状の支持部材３、および、支持部材３の下端部を支えるベースユニット１００と、支持部材３の上端部に装着された電飾ユニット１０１によって構成される。
【０１０８】
ベースユニット１００，電飾ユニット１０１の構造は、其の外観を別にすれば図１に示した実施形態のものと同様である。
【０１０９】
この実施形態では、容器載置ユニット９９の一端部を支持部材３に軸支し、容器載置ユニット９９の一部または全体を構成する容器ホルダー１０２を水平面内で揺動させるようにしているが、支持部材３に対する容器載置ユニット９９の取り付け構造や配線の構造、および、容器載置ユニット９９の内部構造に関しては、図３，図９，図１０に示した構造のうち、何れか一つを選択的に流用することができる。
【０１１０】
要するに、前述した各実施形態との構造上の相違は、容器載置ユニット９９の軸支位置のみである。
【０１１１】
支持部材３に対する容器載置ユニット９９の取り付け構造、および、容器載置ユニット９９の内部構造や配線構造として図３の構成を流用する場合には、図３におけるアウターカバー７の外周部とインナーケーシング８の円筒部２８の上下高さを短めに設計し、容器ホルダーを揺動させて側方に振り出した際に、アウターカバー７および円筒部２８の下端部がホットプレート１０のヒータプレート３５に干渉しないように構成する。
【０１１２】
また、図３に示される熱遮蔽板１１の外周部には、上方に延びる円筒部を形成し、ホットプレート１０の外周部を被うように構成することが望ましい。
【０１１３】
このような構成を適用した場合は、容器載置ユニット９９の一部を構成する容器ホルダー１０２を揺動させて側方に振り出した際に、一時的に底板９とヒータプレート３５との重合面積が減少し、熱効率の点で多少不利となるが、容器の取り出しに要する所要時間は短いので、容器を取り出した後、直ちに容器ホルダー１０２を原位置、つまり、底板９とヒータプレート３５が完全に重合する位置に戻すようにすれば差し支えはない。
【０１１４】
一方、支持部材３に対する容器載置ユニット９９の取り付け構造、および、容器載置ユニット９９の内部構造や配線構造として図９あるいは図１０の構成を流用した場合では、容器ホルダーとホットプレートとが実質的に一体であるから、容器載置ユニット９９の全体を構成する容器ホルダー１０２を側方に振り出しても、熱効率が低下する問題は発生しない。
【０１１５】
図３，図９，図１０に示した何れの構成を流用した場合であっても、容器を取り出す際には容器ホルダー１０２を側方に振り出すことができる。
【０１１６】
従って、上方に位置する容器載置ユニット９９が障害となって容器の取り出しが困難となることはない。このため、容器載置ユニット９９の上下間隔Ｌ’は図１のＬよりも短くすることが可能であり、各容器載置ユニット９９を上下に密接して配備することができ、上下方向のゆとりがない設置面、例えば、カウンター上に容器用展示販売機９８を設置するような場合に有効である。
【０１１７】
なお、ベースユニット１００に関しては、容器ホルダー１０２の振り出しに伴う重心移動に耐えて容器用展示販売機９８の姿勢を確保する必要上、大きめに設計することが望ましい。
【０１１８】
容器ホルダーの何処からでも飲食物の容器を容易に取り出すことが可能で、飲食物を入れた多数の容器を僅かなスペースで展示することができる点、および、実用上十分な性能で容器の加熱保温を実現できるといった作用効果に関しては、前述した全ての実施形態を通して共通である。
【０１１９】
以上の実施形態では、容器の保温や熱効率の向上を考慮して容器ホルダーを実装したものについて各部の構成を詳細に説明したが、展示場所の省スペース化と容器の取り出し安さの向上のみを目的とするのであれば、上述のような容器ホルダーは必ずしも必要ではない。
【０１２０】
その場合、容器載置ユニットは専らホットプレートから成るヒータのみで構成され、このホットプレートを回転させるために、図９あるいは図１０の構成を流用することになる。
【０１２１】
実質的な構成については、図９の構成から容器ホルダー６７を取り除いた容器載置ユニット６６の構造、および、図１０の構成から容器ホルダー９３を取り除いた容器載置ユニット９２の構造と同様であるので、図面の記載と詳細な説明は省略する。
【０１２２】
以上に述べた各実施形態では、飲食物を入れた複数の容器をヒータを利用して加熱保温する構造に限定して説明したが、また、これとは別に、前述した各実施形態の主要な構成部分を流用して、容器を保冷する構造の容器用展示販売機を製造することも可能である。
【０１２３】
例えば、ペルチェ素子等の電気的な冷却手段を利用する場合には、ホットプレート１０の発熱体３７に代えてペルチェ素子等を実装し、図３に示される実施形態のように、このプレートに密着させて容器ホルダー６を回転させるか、あるいは、ペルチェ素子等を容器ホルダー６と一体に回転するように構成し、図９または図１０に示されるような電力供給構造を利用して、ペルチェ素子等に電力を供給するようにする。
【０１２４】
また、コンプレッサーやエバポレータ等の機械的な冷却手段を利用する場合では、ホットプレート１０に代わる１枚板状の冷却板を配備して図３の実施形態のように支持部材３側に固定し、冷却板の内部に冷媒を循環させるか、あるいは、この冷却板を容器ホルダー６と一体に回転するように構成し、図９におけるスリップリング状の通電子に代えて、内外に重合する回転自在な管継手を利用して冷却板の内部に冷媒を循環させるか、または、図１０における電力線４７に代わるフレキシブルパイプを利用して冷却板の内部に冷媒を循環させるようにする。
【０１２５】
【発明の効果】
本発明の容器用展示販売機は、飲食物を入れた容器を容器ホルダーの上部開口部から容器収納領域に突入させ、容器ホルダーで囲まれた容器の下部をヒータによって加熱保温するようにしているので、ヒータの熱が空気中に過剰に放熱されることがなく、容器の加熱保温時の熱効率が向上すると共に電力の無駄も軽減される。
また、容器の下部、つまり、実際に飲食物を充填された部分の周辺温度を略一定に保持することが可能となるため、従来のオープン式の容器用展示販売機に比べ、店内の温度変化が外乱として作用して飲食物の容器の温度を変動させる現象が抑制され、飲食物の容器の温度制御も容易となる。
このため、複数の容器載置ユニットを上下に間隔をおいて支持する場合であっても、全体を被うケーシング部や外壁は不要であり、容器載置ユニットの奥の方に残った容器を含め、何処からでも飲食物の容器を容易に取り出すことが可能な状態で、飲食物を入れた多数の容器を僅かなスペースで展示することができるようになる。
【０１２６】
また、各容器ホルダーは支持部材によって水平面内で回転自在に軸支されているので、容器ホルダーを回転させて所望する飲食物の入った容器を手前に引き寄せることが可能となり、容器の取り出しの作業性が向上する。また、容器用展示販売機を壁面あるいは部屋のコーナー部分に密着させて配置した場合であっても、所望する飲食物の入った容器を容易に取り出すことができる。
【０１２７】
更に、各容器ホルダーの中心を支持部材を軸心として回転自在に軸支する構成を適用することにより、各容器ホルダーの回転状態に関わりなく水平面に対する容器用展示販売機の投影面積を一定とすることができ、狭小な設置面に容器用展示販売機を設置することが可能となる。特に、容器ホルダーの回転に伴う重心移動も発生しないので、容器用展示販売機の姿勢を安定的に保持することができる。
【０１２８】
また、各容器ホルダーを中央部からオフセットした位置で支持部材によって軸支する構成を適用した場合では、下方に位置する容器ホルダーを側方に振り出して容器を取り出すことが可能となるため、上方に位置する容器載置ユニットが障害となって容器の取り出しが困難となることがなく、各容器載置ユニットを上下に密接して配備して容器用展示販売機の全高を短縮することが可能となるので、上下方向のゆとりがない設置面、例えば、カウンター上に容器用展示販売機を設置する際に有利である。
【０１２９】
更に、容器ホルダーの底板を熱伝導率の高い金属板によって形成し、底板の下面にホットプレートを密着させて容器収容領域を加熱保温すると共に、ホットプレートを支持部材に対して一体的に固定して容器ホルダーのみを回転させるようにしたので、容器ホルダーを回転させた場合であっても、支持部材から導き出されてホットプレートに接続された電力供給線に捩れや絡みが生じることはなく、電力供給線に生じる損傷を未然に防止することができる。
【０１３０】
一方、ホットプレートによって容器ホルダーの底板を兼ねさせる構成を適用した場合では、容器ホルダーの底板それ自体がホットプレートとして機能するので、容器収容領域の加熱保温に関わる熱効率を更に向上させることができるメリットがある。
【０１３１】
しかも、ホットプレートを容器ホルダーと共に回転させる場合には、支持部材と容器ホルダーとの間に固定子および摺接子からなるスリップリング状の通電子を設け、この通電子を介して支持部材に内装された電力供給線とホットプレートとを電気的に接続するようにしているので、ホットプレートに電力を供給する電力供給線の捩れや絡みを完全に排除して電力供給線の耐久性を著しく向上させることができる。
【０１３２】
また、スリップリング状の通電子を利用しない場合には、回転角度規制手段を設けて支持部材に対する容器ホルダーの最大回転角度を規制するようにしているので、ホットプレートに接続した電力供給線の捩れや絡みを最小限度に抑制して電力供給線の耐久性を向上させることができる。
【０１３３】
更に、展示場所の省スペース化と容器の取り出し安さの向上のみを追求する場合においては、容器を載置するためのホットプレートから成る複数の容器載置ユニットと、容器載置ユニットを上下方向に間隔をおいて回転自在に支持する柱状の支持部材のみを備えればよく、安価な容器用展示販売機を提供することができる。
【図面の簡単な説明】
【図１】本発明を適用した一実施形態の容器用展示販売機の外観について示した斜視図である。
【図２】同実施形態の容器用展示販売機が備える容器載置ユニットの組み立て構造を示した分解図である。
【図３】同容器載置ユニットの内部構造を示した断面図である。
【図４】同実施形態の容器ホルダーの一部を構成するアウターカバーを裏面側から示した図である。
【図５】同容器ホルダーの一部を構成するインナーケーシングを表面側から示した図である。
【図６】同インナーケーシングを裏面側から示した図である。
【図７】同インナーケーシングに取り付けられるセパレータを示した図で、図７（ａ）は平面図、図７（ｂ）は側断面図、図７（ｃ）は斜視図である。
【図８】同実施形態の容器用展示販売機が備える電飾ユニットを裏面側から示した図である。
【図９】他の実施形態の容器用展示販売機が備える容器載置ユニットの内部構造を示した断面図である。
【図１０】更に他の実施形態の容器用展示販売機が備える容器載置ユニットの内部構造を示した断面図である。
【図１１】同実施形態の回転角度規制手段の一部を構成する周溝の形状について示した斜視図である。
【図１２】更に他の実施形態の容器用展示販売機の外観について示した斜視図である。
【符号の説明】
１  容器用展示販売機
２  容器載置ユニット
３  支持部材
４  ベースユニット
５  電飾ユニット
６  容器ホルダー
７  アウターカバー
８  インナーケーシング
９  底板
１０  ホットプレート（ヒータ）
１１  熱遮蔽板
１２  上部開口部
１３  上部開口部
１４  ノッチ
１５  天板
１６  シャッタ
１７  ビス
１８  ナット
１９  捩りコイルバネ
１９ａ，１９ｂ  捩りコイルバネの直線部
２０  小孔
２１  円弧状の長穴
２２  小孔
２３  ノッチ
２４  ネジ
２５  タップ穴
２６  孔
２７  環状突起
２８  円筒部
２９  セパレータ
２９ａ，２９ｂ  屈曲部
２９ｃ  隔壁部
３０  容器収容領域
３１  ネジ通し穴
３２  ネジ
３３  チャンバー
３４  タップ穴
３５  ヒータプレート
３６  ヒータ押え板
３７  板状の発熱体
３８  皿ネジ
３９  スリーブ
４０  スペーサ
４１  ネジ
４２  温度検出手段
４３  コネクタ
４４  コード通し穴
４５  外周溝
４６  セットスクリュー
４７  電力線
４７’  電力供給線
４７ａ’，４７ｂ’  電力供給線
４８  信号線
４８’  信号伝達線
４８ａ’，４８ｂ’  信号伝達線
４９  コード通し穴
５０  コネクタ
５１，５２，５３  孔
５４，５５，５６  温度設定器
５７  電源コード
５８  電源スイッチ
５９  傘部
６０  蛍光管
６１  グローランプ
６２  嵌合部
６３  コネクタ
６４  断熱チューブ
６５  容器用展示販売機
６６  容器載置ユニット
６７  容器ホルダー
６８  スリーブ
６９，７０  縮径部
７１，７２  絶縁部材
７３，７４  外周溝
７５，７６  リング状の電極（通電子の一部を構成する固定子）
７７，７８  外周溝
７９，８０  リング状の電極（通電子の一部を構成する固定子）
８１，８２  貫通孔
８３，８４，８５，８６  絶縁部材
８７，８８，８９，９０  ブラシ（通電子の一部を構成する摺動子）
９１  容器用展示販売機
９２  容器載置ユニット
９３  容器ホルダー
９４  スリーブ
９５  回転角度規制手段
９６  ピン
９７  周溝
９７ａ，９７ｂ  周溝の端部
９８  容器用展示販売機
９９  容器載置ユニット
１００  ベースユニット
１０１  電飾ユニット
１０２  容器ホルダー
【図１】
2004173896.tif 000003
【図２】
2004173896.tif 000004
【図３】
2004173896.tif 000005
【図４】
2004173896.tif 000006
【図５】
2004173896.tif 000007
【図６】
2004173896.tif 000008
【図７】
2004173896.tif 000009
【図８】
2004173896.tif 000010
【図９】
2004173896.tif 000011
【図１０】
2004173896.tif 000012
【図１１】
2004173896.tif 000013
【図１２】
2004173896.tif 000014